(57)【要約】【課題】  開口部を有し、且つ面ファスナーを係合手段とする従来型の衣類を着用して身体を屈伸したり、全身運動などをした場合に、肌側に接する側の開口部に列設した面ファスナーの棘々しい側辺部に肌が触れて肌側（皮膚）に痛みや痒み、引っ掻き傷などの発生を招く恐れがあり、着用感が損なわれるという課題があった。【解決手段】  本発明は、前開き部に前立て手段による開口部を有し、前記開口部に付設した面ファスナーを係合手段とする衣類において、肌側に接する前立て部に列設した前記面ファスナーの開口部側辺部が露出しないように、開口部側辺部を被覆用生地によって被覆されるように構成したことにより、面ファスナーの側辺部が被覆用生地によって被覆され、身体の屈伸時や全身運動時などに肌側（皮膚）に痛みや痒み等を生ずる恐れがなくなり、ソフト感や着用感に優れた衣類が得られるのである。【選択図】      図１
2005325464.tif 000002
【特許請求の範囲】
【請求項１】
前開き部に前立て手段による開口部を有し、前記開口部に付設した面ファスナーを係合手段とする衣類において、肌側に接する前立て部に列設した前記面ファスナーの開口部側辺部が露出しないように、開口部側辺部を被覆用生地によって被覆して構成したことを特徴とする衣類。
【請求項２】
前記被覆用生地がバインダーテープで構成されていることを特徴とする請求項１に記載された衣類。
【請求項３】
前記被覆用生地がテープ生地で構成されていることを特徴とする請求項１に記載された衣類。
【請求項４】
前記被覆用生地が前記肌側に接する開口部側辺部を折り返して配置したことを特徴とする請求項１に記載された衣類。
【請求項５】
前記面ファスナーの開口部側辺部が露出しないように被覆用生地で被覆される範囲が、前記面ファスナーの開口部側辺部の位置から内側方向に２ｍｍ以上であり、且つ面ファスナーの幅の１／２以下であることを特徴とする請求項１〜請求項４に記載された衣類。
【発明の詳細な説明】
【技術分野】
【０００１】
本発明は、シャツやズボン下、パジャマなどの開閉自在な開口部を有する各種衣類において、開口部に設けた面ファスナーの側辺部を被覆用生地で被覆し、面ファスナーが肌側に直接触れないようにしたことにより、肌側に痛みや痒みなどの発生を未然に防止するようにしたものである。
【背景技術】
【０００２】
図８〜図１０は前身頃側を開閉自在にした従来例よる婦人用シャツ７０の場合を示したもので、７２、７３は夫々左側及び右側前身頃、７５は前立部で、同前身頃７２、７３の裏側及び表側側辺部に夫々両端部を折り曲げたテープ生地７７、７８を縫着７９、８０して上側及び下側前立部８２、８３を形成してある。更に円形状に裁断されたプラスチック製織物地８５表面にプラスチック製糸条によるパイル８６を多数織成して形成してなる周知の面状ファスナー８８、８８をテープ生地７７、７８の夫々の裏側及び表側に縫着９０、９１して前立部７５を構成し、シャツの前身側を開閉自在となるようにしてある。
【０００３】
尚、上記婦人用シャツ７０を着用した場合は、下側前立部８３において、面状ファスナー８８が比較的硬いプラスチック製素材で形成されているためにシャツの着用中に、面状ファスナー８８よりも綿糸などの極めて柔らかい繊維素材からなる下側前立部８３の側辺部９３が、図１０の如く肌（皮膚）側に反転して折り曲げられ、且つ同側辺部９３が押圧、圧縮され、折り癖が付いた状態でシャツを着用するために、身体を屈伸したり、捻ったり、全身運動などをした際に、面状ファスナー８８の棘々しい側辺部９５側に肌（皮膚）９８が触れやすくなり、この結果肌側（皮膚）に痛みや痒み、引っ掻き傷などの発生を招く恐れがあった。
【０００４】
【特許文献１】特開２００２−１７３８１０号公報
【発明の開示】
【発明が解決しようとする課題】
【０００５】
解決しようとする問題点は、開口部を有し、面ファスナーを係合手段とする衣類を着用して身体を屈伸運動若しくは全身運動などをした場合に、肌側に接する側の開口部に列設した面ファスナーの棘々しい側辺部に肌が触れて肌側（皮膚）に痛みや痒み、引っ掻き傷などの発生を招く恐れがあり、着用感が損なわれるという課題があった。
【課題を解決するための手段】
【０００６】
本発明は、前開き部に前立て手段による開口部を有し、前記開口部に付設した面ファスナーを係合手段とする衣類において、肌側に接する前立て部に列設した前記面ファスナーの開口部側辺部が露出しないように、開口部側辺部を被覆用生地によって被覆されるように構成したことにより、面ファスナーの側辺部が被覆用生地によって被覆され、身体の屈伸時や全身運動時などに肌側（皮膚）に痛みや痒み等を生ずる恐れがなくなり、ソフト感や着用感に優れた衣類に関する。
【発明の効果】
【０００７】
本発明は、前開き部に前立て手段による開口部を有し、前記開口部に付設した面ファスナーを係合手段とする衣類において、肌側に接する前立て部に列設した前記面ファスナーの開口部側辺部が露出しないように、開口部側辺部を被覆用生地によって被覆して構成したことにより、面ファスナーの棘々しい側辺部が被覆用生地によって被覆され、この結果肌触りが良くなり、身体を捻ったり、或いは屈伸したり、全身運動などをした場合でも、肌側（皮膚）に痛みや痒み、引っ掻き傷などを生ずる恐れがなくなり、ソフト感や着用感などに優れた衣類が得られるのである。
【発明を実施するための最良の形態】
【０００８】
本発明は肌側に接する開口部に列設した面ファスナーの開口部側辺部が露出しないように、被覆用生地によって被覆されるようにしたことにより、面ファスナー側辺部の棘々しさがソフトになり、着用感が十分に向上し、発揮されるようにしたものである。
【実施例１】
【０００９】
図例において１は前身頃２側を開閉自在にした婦人用シャツで、３は後身頃、４は首廻り部、５、６は夫々左側及び右側前身頃生地で同左右の前身頃生地５、６の開口部２２側端縁を二重に折り曲げてあり、８は前立部、１０、１１は夫々テープ生地で両端部を折り曲げてあり、且つ左側及び右側前身頃生地５、６の裏側及び表側側辺部に夫々テープ生地１０、１１を縫着１５、１６して上側及び下側前立部２０、２１を夫々形成してあり、２２は前記の如く、前身頃２の中央側を開閉自在にした開口部である。
【００１０】
２３は周知の面状ファスナーで、円形状に裁断されたプラスチック製パイル織物地２５の表面にプラスチック製糸条によるパイル２７を多数織成して係止部を形成するようにしてあり、同面状ファスナー２３、２３を前記テープ生地１０、１１の夫々の裏側及び表側に縫着２８、２８して上側及び下側前立部２０、２１よりなる前立部８を形成し、且つシャツの前身頃側を開閉自在にして開口部２２を形成するようにしてある。
【００１１】
図３において、３２は被覆用生地で、同被覆用生地３２の一側縁部を二重に折り曲げて折曲部３３を有するバインダーテープ地３５を形成し、且つ下側前立部２１の面状ファスナー２３、テープ生地１１及び右側前身頃生地６における夫々の開口部２２側の側辺部をバインダーテープ３５で被覆、縫着３６すると共に、前記折曲部３３がテープ生地１１側の面状ファスナー２３の上表面に位置するようにして縫着したものである。
【００１２】
また図４〜図６は夫々図３における被覆用生地３２の他の応用例を示したもので、図４における第１応用例の場合は、前記バインダーテープ地３５とは異なり、テープ地の両側縁部を二重に折り曲げて折曲部３８、３９を有するバインダーテープ地４０を形成し、更に下側前立部２１の面状ファスナー２３、テープ生地１１及び右側前身頃生地６における夫々の開口部２２側の側辺部を前記バインダーテープ４０で被覆、縫着４１すると共に、前記一方側の折曲部３８がテープ生地１１側の面状ファスナー２３の上表面に位置するようにして縫着４２したものである。
【００１３】
また図５における第２応用例の場合は、前記バインダーテープ地３５とは異なり、テープ地の両側縁部を二重に折り曲げて折曲部４７、４７を有する両端折曲のテープ地５０を形成し、更に下側前立部２１の面状ファスナー２３及びテープ生地１１における夫々の開口部２２側の側辺部を前記テープ地５０で被覆、縫着５１、５１するようにしたものである。
【００１４】
また図６における第３応用例の場合は、面状ファスナー２３の裏面側に位置するテープ生地５３の両端縁の折曲部５５、５６において、開口部２２側の折曲部５５側を外方に更に延長して延長部５７を形成し、且つ上方に折り返して面状ファスナー２３の開口部２２側の側辺部を被覆、縫着５８するようにしたものである。
【００１５】
尚、面状ファスナー２３の開口部側の側辺部が露出しないように被覆用生地３２で被覆される範囲について、例えば図７の如くバインダーテープ地３５の場合について説明すると、バインダーテープ地３５により面状ファスナー２３が被覆される範囲（幅）Ｗは、面状ファスナー２３の開口部２２側の側辺部６０の位置から２ｍｍ以上で、且つ面状ファスナー２３の幅の１／２以下であることが好ましく、上記以外の範囲であれば面状ファスナー２３の被覆が不十分になり、肌側（皮膚）に痛みや痒み、引っ掻き傷などを生ずる恐れがあって好ましくないのである。
【産業上の利用可能性】
【００１６】
本発明において、衣類の適用範囲としては、開閉自在な開口部を有する紳士用及び婦人用のシャツやパンツなどの肌着類、パジャマ類、水着並びにセータやズボンなどの外衣など広範囲な分野で適用されるのである。
【図面の簡単な説明】
【００１７】
【図１】本発明による婦人用シャツの概略正面図である。
【図２】本発明の婦人用シャツにおける前立部の拡大概略正面図である。
【図３】図１のＸ―Ｘ断面による概略断面図である。
【図４】図３の他の応用例を示したもので、第１応用例による概略断面図である。
【図５】図３の他の応用例を示したもので、第２応用例による概略断面図である。
【図６】図３の他の応用例を示したもので、第３応用例による概略断面図である。
【図７】面状ファスナーがテープ状生地で被覆、縫着される場合の一部を拡大した縫着説明用概略正面図である。
【図８】従来例による婦人用シャツの概略正面図である。
【図９】図８のＹ―Ｙ断面による概略断面図である。
【図１０】図９において下側前立部の開口部側の側辺部が下方に折れ曲がった状態を示した折れ曲がり説明用概略断面図である。
【符号の説明】
【００１８】
５    左側前身頃生地
６    右側前身頃生地
８    前立部  
１０    テープ生地    
１１    テープ生地
２０    上側前立部
２１    下側前立部
２３    面状ファスナー  
２７    パイル
３２    被覆用生地
３５    バインダーテープ地
【図１】
2005325464.tif 000003
【図２】
2005325464.tif 000004
【図３】
2005325464.tif 000005
【図４】
2005325464.tif 000006
【図５】
2005325464.tif 000007
【図６】
2005325464.tif 000008
【図７】
2005325464.tif 000009
【図８】
2005325464.tif 000010
【図９】
2005325464.tif 000011
【図１０】
2005325464.tif 000012